(57)【要約】      （修正有）【課題】鶴等の具象物を製作できると共に、願い事を視認できるように一緒に表示できる折り紙を提供する。【解決手段】折ることにより鶴等の具象物を製作しうる正方形の折り紙本体２と、細長帯状で上記折り紙本体に一体に連続形成され、その表面に願い事等を表示しうる短冊片８とを有する。上記折り紙本体の表面は紅白に色分けされ、その色分けされた部位の境界線は、具象物を製作したときの折り目７となる位置と一致して、具象物を製作する場合の折り線の役割を果たすように表示されている。上記短冊片は、上記折り紙本体を折って具象物を製作したときに、その具象物の下方へ垂れ下がるように、具象物の下面部となる箇所に、その一方の短辺部の一部が連続している。【選択図】図２
0003101195.tif 000002
【実用新案登録請求の範囲】
【請求項１】
折ることにより具象物を製作しうる正方形の折り紙本体と、細長帯状で上記折り紙本体に一体に連続形成され、その表面に願い事等を表示しうる短冊片とを有することを特徴とする折り紙。
【請求項２】
上記折り紙本体の表面は紅白に色分けされていることを特徴とする請求項１記載の折り紙。
【請求項３】
上記折り紙本体において紅白に色分けされた部位の境界線は、具象物を製作したときの折り目となる位置と一致して、具象物を製作する場合の折り線の役割を果たすように表示されていることを特徴とする請求項２記載の折り紙。
【請求項４】
上記折り線の役割を果たす紅白に色分けされた部位の境界線は、具象物として鶴を折ることができるように表示されていることを特徴とする請求項２又は３記載の折り紙。
【請求項５】
上記短冊片は、上記折り紙本体を折って具象物を製作したときに、その具象物の下方へ垂れ下がるように、具象物の下面部となる箇所に、その一方の短辺部の一部が連続していることを特徴とする請求項１、２、３又は４記載の折り紙。
【考案の詳細な説明】
【技術分野】
【０００１】
本考案は、折り紙に関するものである。
【背景技術】
【０００２】
従来の折り紙は、片面が着色された正方形の紙で形成されており、所定の位置で折ることにより鶴等の具象物を製作して遊ぶことができた。
【０００３】
しかしながら、最近は、子供のときに折り紙で遊ぶ機会が減り、鶴等の具象物を製作するときの折り方を知らない人が増加している。
【０００４】
そこで、特許文献１に記載されているように、鶴等を折るときの折り目となる位置に予め折り線を表示すると共に、その折り線の傍に折り順を示す番号数字を表示した折り紙も考案されている。
【特許文献１】登録実用新案公報第３０８５０３５号
【０００５】
ところで、折り紙で製作された鶴は、多数個を集めて千羽鶴などにされ、願い事を行う場合に吊り下げて飾られることが多い。
【０００６】
従って、折り紙を折って鶴等の具象物を製作しうるとともに、願い事をその具象物と一緒に表示できれば、折り紙を折る人の願望に応えることができる。
しかしながら、折り紙本体に願い事を書き込むと、その折り紙本体を折って具象物を製作した場合に、その願い事の表示部分が具象物の内部に隠れて見えなくなるという不具合がある。
【考案の開示】
【考案が解決しようとする課題】
【０００７】
そこで本考案の課題は、鶴等の具象物を製作できると共に、願い事を視認できるように一緒に表示できる折り紙を提供することにある。
【課題を解決するための手段】
【０００８】
上記課題を解決するために、請求項１記載の本考案の折り紙は、折ることにより具象物を製作しうる正方形の折り紙本体と、細長帯状で上記折り紙本体に一体に連続形成され、その表面に願い事等を表示しうる短冊片とを有することを特徴とするものである。
【０００９】
即ち、本考案に係る折り紙にあっては、折り紙本体部分で鶴等の具象物を製作すると共に、上記短冊片に願い事等を書き込んで表示することができる。
【００１０】
また、請求項２記載の本考案の折り紙は、上記折り紙本体の表面が紅白に色分けされていることを特徴とする。
【００１１】
即ち、本考案に係る折り紙にあっては、折り紙本体を折ることにより表面が紅白に色分けされた具象物を製作することができる。
【００１２】
また、請求項３記載の本考案の折り紙は、上記折り紙本体において紅白に色分けされた部位の境界線が、具象物を製作したときの折り目となる位置と一致して、具象物を製作する場合の折り線の役割を果たすように表示されていることを特徴とする。
【００１３】
即ち、本考案に係る折り紙にあっては、具象物を製作するときの折り方を知らない人であっても、上記紅白に色分けされた部位の境界線に沿って折り紙本体を折ることにより、一人で容易に具象物を製作できるようにしている。
【００１４】
また、請求項４記載の本考案の折り紙は、上記折り線の役割を果たす紅白に色分けされた部位の境界線は、具象物として鶴を折ることができるように表示されていることを特徴とする。
【００１５】
即ち、本考案に係る折り紙にあっては、最も代表的な具象物である鶴を容易に製作することができる。
【００１６】
また、請求項５記載の本考案の折り紙は、上記短冊片が、上記折り紙本体を折って具象物を製作したときに、その具象物の下方へ垂れ下がるように、具象物の下面部となる箇所に、その一方の短辺部の一部が連続していることを特徴とする。
【００１７】
即ち、本考案に係る折り紙にあっては、折り紙本体を折ることにより製作した具象物の下方に短冊片が垂れ下がるようにすることができる。
【考案の効果】
【００１８】
請求項１記載の本考案の折り紙は、折り紙本体部分で鶴等の具象物を製作できると共に、上記短冊片に願い事等を書き込んで表示でき、上記短冊片は折り紙本体に連続形成されていることから、折り紙本体を折って製作した鶴等の具象物を飾る場合に、願い事等を書き込んだ短冊片も一緒に添えることができるので、折り紙を製作して飾る興趣と共に、短冊片に願い事を書き込んで楽しむという興趣も得られて、従来の折り紙に比べ興趣が倍増する。
【００１９】
また、請求項２記載の本考案の折り紙は、折り紙本体を折ることにより紅白に色分けされた具象物が製作できることから、御目出度い祝い事の場合などに贈れば、その祝い事の当事者を喜ばせることができる。
【００２０】
また、請求項３記載の本考案の折り紙は、具象物を製作するときの折り方を知らない人であっても、上記折り線の役割を果たす紅白に色分けされた部位の境界線に沿って折り紙本体を折れば、近くに教えてくれる人が居なくても、一人で容易に具象物を製作して折り紙を楽しむことができると共に、その具象物の製作方法を覚えることができる。
【００２１】
また、請求項４記載の本考案の折り紙は、最も代表的な具象物である鶴を製作しうることから、折り紙の基本を学ぶことができる。
【００２２】
また、請求項５記載の本考案の折り紙は、折り紙本体を折ることにより製作した具象物の下面部から短冊片が下方へ垂れ下がることから、その短冊片に書き込んだ願い事等が具象物によって隠れることがないので、視認性が良好となる。
【考案を実施するための最良の形態】
【００２３】
以下、添付した図面を用いて本考案の実施の形態について説明する。
本実施の形態に係る折り紙１は、図１に示すように、折ることにより具象物を製作しうる正方形の折り紙本体２と、細長帯状で上記折り紙本体２に一体に連続形成され、その表面に願い事等を表示しうる短冊片８とを有して構成されている。
また、上記折り紙本体２の表面は、図１に示すように、紅白に色分けされている。
また、上記折り紙本体２において紅白に色分けされた部位の境界線６は、図１及び図２に示すように、具象物を製作したときの折り目７となる位置と一致して、具象物を製作する場合の折り線の役割を果たすように表示されている。
また、上記折り線の役割を果たす紅白に色分けされた部位の境界線６は、図１及び図２に示すように、具象物として鶴５を折ることができるように表示されている。
また、上記短冊片８は、図２に示すように、上記折り紙本体２を折って具象物を製作したときに、その具象物の下方へ垂れ下がるように、具象物の下面部となる箇所に、その一方の短辺部１０の一部が連続している。
【実施例１】
【００２４】
図１及び図２は本考案に係る実施例を示したものである。本実施例に係る折り紙１は、図１に示すように、まず、薄紙を所定サイズの正方形に裁断してなる折り紙本体２を有している。
【００２５】
この折り紙本体２の構造は従来の折り紙と同一であるが、図１に示すように、その表面は紅白に色分けされている。図中、散点模様を施した箇所が紅色部３で、無地の箇所が白色部４を示している。
【００２６】
上記のように折り紙本体２を紅白に色分けすることにより、図２に示すように、その折り紙本体２を折れば、紅白模様の御目出度い鶴５を製作することができる。従って、祝い事のある人などにプレゼントして喜ばせることができる。
【００２７】
上記折り紙本体２において紅白に色分けされた部位の境界線６は、図２に示すように、鶴５を製作したときの折り目７となる位置と一致している。すなわち、上記境界線６は、鶴５を折るときの折り線の役割を果たすものである。
【００２８】
従って、鶴５の折り方を知らない初心者は上記境界線６に沿って折り紙本体２を折っていくことにより鶴５を製作することができる。
【００２９】
また、本実施例に係る折り紙１は、図１に示すように、上記の折り紙本体２に加えて、短冊片８も有している。
【００３０】
上記短冊片８は、図１に示すように、細長帯状で上記折り紙本体２に一体に連続形成されている。すなわち、この短冊片８も上記折り紙本体２と同一の薄紙により形成されている。
【００３１】
上記短冊片８には願い事等を書き込んで表示することができる。なお、この短冊片８のの周辺部も、図１及び図２に示すように、紅色部３で縁取りされている。
【００３２】
上記短冊片８は、図２に示すように、上記折り紙本体２を折って鶴５を製作した場合に、その鶴５の下面部から垂れ下がるように折り紙本体２の所定箇所に連続している。
【００３３】
すなわち、上記短冊片８は、図１に示すように、上記折り紙本体２の下側に縦向きに配置され、上記折り紙本体２における下辺部９の中央部に、一方の短辺部１０の中央箇所、つまり上辺中央部が連続的に繋がっている。図中、符号１１がその連続部位を指し示している。
【産業上の利用可能性】
【００３４】
本考案は、全ての折り紙に適用可能である。
【図面の簡単な説明】
【００３５】
【図１】折り紙を折る前の状態を示す平面図である。
【図２】折り紙本体で鶴を折った状態の斜視図である。
【符号の説明】
【００３６】
１    折り紙
２    折り紙本体
３    紅色部
４    白色部
５    鶴
６    境界線
７    折り目
８    短冊片
９    下辺部
１０    短辺部
１１    連続部位
【図１】
0003101195.tif 000003
【図２】
0003101195.tif 000004